(57)【要約】【課題】本発明は、壁や陳列台の横溝もしくは穴に照明器具や、棚板を差し込むだけで棚が固定され電気も供給できる棚の発明に関するものである。照明付の場合は、棚ごとに配線を施す必要があります。この場合、配線があるゆえに工事が面倒で、工事終了後の棚移動は不可または、取付け取外しの都度に配線の手直しが必要となるなど非常に不便である。 【解決手段】壁面に横溝穴１のある金具を取付け、その穴に引掛け金具３を挿入装着する事により、棚板の支持と同時に電源供給も行う。またその電気の接触面は、テコの原理により棚圧にて接触不良が起きにくい構成とする。【選択図】  図１
2014036757.tif 000002
【特許請求の範囲】
【請求項１】
穴があいた板にL型状を持つ棚差込金具を挿入装着する事により、簡単に棚板を壁面に固定する事が出来き、それと同時に板裏に取付けた電源端子と、その面と接触するL型状を持つ棚差込金具の電源端子が接触する事により棚差込金具に電気を送る事ができる。
また、この部分はテコの原理により棚圧がかかるので接触不良が起きにくい特徴を持つ。
さらに壁面裏の電源端子には、全面穴から容易に触れられない安全設計を特徴とする。
【請求項２】
また棚差込金具と棚板を簡単に脱着可能にする事により、上下の棚間隔が少なくても棚が掛けやすい構造とする。
【請求項３】
LED基盤後ろにハニカム状の放熱板を設け、下から上への自然上昇気流を作る事によりLEDの放熱効果を高め、LEDの寿命を延ばす事を特徴とする。
【発明の詳細な説明】
【技術分野】
【０００１】
本発明は、壁や陳列台の溝穴に照明器具や、棚板を差し込むだけで電気を供給できる棚の発明に関するものである。また棚差込金具と棚板を簡単に脱着可能にする事により、上下の棚間隔が少なくても棚が掛けやすい構造とする。
更にLEDの寿命を延ばすためにLED取付け裏面に部屋を設け、内部を上下に穴をもつハニカム構造にして冷却用の対流が起きる事でLEDの放熱効果を上げる発明に関するものである。
【背景技術】
【０００２】
現在、住居や店舗、陳列台等で使用されている新棚受システムはデザイン重視から、露出した棚柱、棚受け金具を嫌い、壁から直接棚板が飛び出ている棚が市販されている。
棚板は、主にガラス板、導光板等をはめ込む構造で、照明付の場合は、棚ごとに配線を施す必要があります。この場合、配線があるゆえに工事が面倒で、工事終了後の棚移動は不可または、取付け取外しの都度に配線の手直しが必要となるなど非常に不便である。
【先行技術文献】
【特許文献】
【０００３】
【特許文献１】特開2004-344507号公報
【特許文献２】特開2010-170970号公報
【特許文献３】特開2012-040334号公報
【発明の概要】
【発明が解決しようとする課題】
【０００４】
特許文献１、２、３は、いずれも露出の棚柱が必要となる。また棚柱を壁に埋め込んでも棚受け金具を取付けて棚板を乗せる為、美観をそこねる。更に短いスパンの横移動が出来ない。また導光板の場合、LED前面に導光板を当てるため熱がこもりやすい。
【０００５】
本発明は上記の問題を解決するためになされたもので、美観と使い良さ等を提供することを目的とする。
【課題を解決するための手段】
【０００６】
上記の目的を達成するために、壁に溝穴があいた金具を埋め込む。この穴には絶縁された直流のプラス、マイナス端子が交互に設けてある。この端子は、溝奥にあり壁面からは容易に触れない絶縁構造を持つ。
その溝穴に棚差込金具の左右に付いている引掛け金具を差し込む。
その差込まれた金具にも端子が設けてあり、その左右端子から棚差込金具内に設けた照明器具等に配線もしくは金具自体を導電体として接続してある。
差込まれた金具の端子が壁のプラス、マイナス端子に触れると棚差込金具内に設けた照明器具等に電気が送られる。
【０００７】
横溝の幅であるが、引掛け金具の倍の横幅にすると、棚差込金具を連続して設置可能となる。
この場合、一つ穴に絶縁された直流のプラス、マイナス端子をそれぞれ設け、常に固定された電極を器具に送る方法もあるが、器具自体に無極化回路を設ける事により一つ置きのプラス、マイナス端子回路でも可能となる。
【０００８】
上記以外に、連続した横溝を１つ、もしくは２つ設けて裏側にそれぞれ連続したプラス、マイナス端子を設ける方法もある。
【０００９】
前記横溝構造や、引掛け金具、照明器具自体の形状は直線状である必要はなく、アーチ状や、波形、環状や不定形状等、種々のものとする事が出来る。また前記光源は必ずしも器具本体の内部に収容されている必要はなく、器具本体の外側に設けられていてもよい。
【００１０】
尚、棚差込金具に差込む棚板は固定しても良いが、固定化せずに脱着可能とすれば上下の溝幅間隔が短くても棚の取外し取付けが便利となる。また導光板等を使った場合は、板の裏表を逆に設置する事により、光を商品の真下から照らすなどが出来て便利さが増す。
【００１１】
前記の場合、壁に横直線上の横溝を設ける事を前提にしたが、別に横直線上にこだわらずに縦直線上の横溝を設けた構造でも良い。
【発明を実施するための最良の形態】
【００１２】
以下、本発明の実施の形態を示す第一実施例について図１〜図４に基づいて説明する。
まず図１は概念図である。壁面に棚を取付けた状態を表し、１は溝穴があいた金具、２は照明器具、３は棚差込金具、４は棚板の導光板等である。
【００１３】
図２は横アングルで、（１）は正面図、（２）は裏面図、（３）は壁面に付けた断面図を表す。
（１）の５はアングル、６は正面に開いた横溝、（２）の７は裏面の電源端子、８、９は、直流を流す配線で、各端子に一つ置きに接続されている。（３）の１０・１２は上下の壁板が入る溝、１１は正面の絶縁面、５は裏面のアングルで、７はアングルから絶縁された電源端子である。
【００１４】
図３は棚差込金具である。（１）の１３が引掛け金具部分、（１）（２）の１４・１５が左右の電源端子、１６・１９・２０は冷気用の穴、１７がLED、１８が配線で電源端子とLEDを接続する。この部分はアングルを導電体にしても良い。
２１は導光板等を表し、板両面に付いた２２・２３（２４・２５）は導光版等を棚差込金具に差込んだ時に抜けないようにする爪である。この爪はバネ等により棚差込金具、図３の（３）２６・２７に入るとロックされる。
尚、板両面に２２・２３（２４・２５）の爪が付いている事により導光板等を上下差し替え、照明面を変更しても板は棚差込金具に固定される。
【００１５】
図４は、図２の横アングルに図３の棚差込金具を取付ける側面断面図である。
（１）は棚差込金具を斜めにして横穴に入れ、（２）の様に水平にする事により棚差込金具が壁に固定される。この時に２８の部分で電源両端子が接して電気を通す。また、この部分はテコの原理により棚圧がかかるので接触不良が起きにくい特徴を持つ。
棚差込金具を取付けた後に、２９に棚板を挿入して使用する。
【００１６】
図５は、本発明の実施の第二実施例を示すもので、溝穴を別に横直線上にこだわらずに縦直線上の横溝を設けたものである。３０は壁板、３１照明器具、３４は導光板等、３２・３３は、両サイドの棚差込用の横穴を示す。
【００１７】
図６は縦アングルを表す。（１）は正面図、（２）は（１）の断面図。図（３）は（１）の裏面図、図（４）は側面図で、表面に絶縁体の壁板３０を貼った状態である。
（５）は（４）を上部から見た図である。
（１）の３５は壁板裏に設置するアングル。３６・３７は、図５の３２・３３と重なりあい棚差込金具を差し込む穴となる。
【００１８】
図７は壁裏にあるアングル３６と、棚差込金具３７がもう一つ横に並べて装着できる様に横穴３８が広くなったアングル３９である。そのアングルに棚差込金具３７を差し込み装着した状態を表す。また４０・４１の線には直流電源がつながり３６・３９を通り、３７に取付けたLEDに電気が流れる。
この時、器具自体に無極化回路を設ける事により極性に関係なく点灯が可能となる。
【００１９】
図８の棚差込金具であるが、４２・４３の引掛け端子部分を移動可能とすれば、横穴の間隔より広い棚差込金具及び棚板が取付け可能となる。
【００２０】
図９は横穴が連続したタイプである。（１）は正面図、（２）は裏面図、（３）は壁面に横アングル取付けた断面図である。
（１）の４４はアングル、４５は連続した横穴を示す。（２）の４６・４７は帯状の電源端子である。（３）の４８・５０は上下の壁板が入る溝、４９は正面の絶縁面、４４は裏面のアングルで、４６・４７はアングルから絶縁された電源端子である。
【００２１】
図１０は、図９の連続横溝用の棚差込金具である。図９（２）の４６・４７の帯端子に図１０の５１・５２が接触する事により電気が通電する構造になっている。
尚、この場合５１と５２の端子を左右に分けてあるが、片方、または両方に５１・５２の端子を一緒に配置しても良い。
【００２２】
図１１は棚差込金具内部のLED冷却方法を表す。（１）は棚差込金具の側断面図、（２）は上部から見た内部のハニカム構造を示す。
５５はLEDである。普通はこの熱は後ろの金属板から棚差込金具全体に伝えられ放熱する。
しかし外の金具表面では対流が起きにくいため放熱しにくい。そこで５３のLED基盤後ろの５７の金属板にハニカム構造の金属５６を取付け、６０の空気の対流を起こしてLEDを冷却する。
５４・５８・５９は空気穴である。尚、ハニカム構造は6角形以外でも良い。
【００２３】
図１２は棚の角度微調整の図である。
（１）は引掛け金具の側面断面図、（２）は正面図である。６１のねじを回す事により６２の角度が変化する。これにより壁厚の変化や、引掛け金具のゆがみによる微妙な棚角度を修正できる。
【００２４】
以上、本発明の実施の形態を説明してきたが、本発明にはこれに限定されるものではなく、本発明の要旨を変更しない限り、様々な形態で実施し得るものである。
【図面の簡単な説明】
【００２５】
【図１】本発明の概要を説明する概念図である。
【図２】横アングルの明細図である。
【図３】棚差込金具と、棚板の明細図である。
【図４】横アングルに棚差込金具を装着する時の図である。
【図５】本発明の概要を説明する概念図である。
【図６】縦アングルの明細図である。
【図７】縦アングルに棚差込金具を装着した時の図である。
【図８】棚差込金具の引掛け金具移動型の図である。
【図９】横アングルの連続横穴タイプの明細図である。
【図１０】連続横穴タイプ用の棚差込金具の明細図である。
【図１１】冷却用ハニカム構造の説明図である。
【図１２】棚の角度調整をする方法を示した図
【符号の説明】
【００２６】
１・・・溝穴があいた金具
２・・・照明器具
３・・・棚差込金具
４・・・棚板の導光板等
【図１】
2014036757.tif 000003
【図２】
2014036757.tif 000004
【図３】
2014036757.tif 000005
【図４】
2014036757.tif 000006
【図５】
2014036757.tif 000007
【図６】
2014036757.tif 000008
【図７】
2014036757.tif 000009
【図８】
2014036757.tif 000010
【図９】
2014036757.tif 000011
【図１０】
2014036757.tif 000012
【図１１】
2014036757.tif 000013
【図１２】
2014036757.tif 000014